(57)【要約】【課題】  最収縮作動時のダンパにおける過大な反力発生の回避を可能にする調圧弁におけるハンドルとの干渉や飛び石の衝突による故障などを回避し易いようにする。【解決手段】  車体側チューブ１と車輪側チューブとからなるフォーク本体を有し、車体側チューブ１における上端開口を閉塞するキャップ部材１１がフォーク本体における内外の連通を許容する通孔１１ａを有すると共にこの通孔１１ａにおける拡径部に連結される調圧弁１２を有してなるフロントフォークにおいて、調圧弁１２におけるキャップ部材１１に対する連結方向がフォーク本体における伸縮方向となる軸線方向に対して傾斜されてなる。【選択図】  図１
2010127302.tif 000002
【特許請求の範囲】
【請求項１】
車体側チューブと車輪側チューブとからなるフォーク本体を有し、上記の車体側チューブにおける上端開口を閉塞するキャップ部材が上記のフォーク本体における内外の連通を許容する通孔を有すると共にこの通孔における拡径部に連結される連結部材を有してなるフロントフォークにおいて、上記の連結部材における上記のキャップ部材に対する連結方向が上記のフォーク本体における伸縮方向となる軸線方向に対して傾斜されてなることを特徴とするフロントフォーク。
【請求項２】
上記のキャップ部材にあって、上記の連結部材におけるこのキャップ部材に対する連結方向たる軸線方向がこのキャップ部材における軸芯を通過し、あるいは、このキャップ部材における軸芯から偏芯されてなる請求項１に記載のフロントフォーク。
【請求項３】
上記のキャップ部材にあって、上記の連結部材における連結方向たる軸線方向と上記の通孔における開穿方向たる軸線方向とが一致し、あるいは、同一方向とされてなる請求項１または請求項２に記載のフロントフォーク。
【請求項４】
上記のフォーク本体が油面を境にする気室を有し、上記の通孔が上記の気室と上記のフォーク本体外との連通を許容すると共に、上記の連結部材が上記の気室と上記のフォーク本体外との連通および遮断を可能にする調圧弁とされてなる請求項１，請求項２または請求項３に記載のフロントフォーク。
【請求項５】
上記のフォーク本体が倒立型のダンパを収装すると共にこのダンパの外であって上記のフォーク本体の内側となるリザーバに油面を境にするリザーバ内気室を有し、上記の通孔が上記のリザーバ室内気室と上記のフォーク本体外との連通を許容すると共に、上記の連結部材が上記のリザーバ内気室と上記のフォーク本体外との連通および遮断を可能にする調圧弁とされてなる請求項１，請求項２，請求項３または請求項４に記載のフロントフォーク。
【請求項６】
上記の倒立型のダンパがシリンダ体を上記の車体側チューブに結合させると共にロッド体を上記の車輪側チューブに結合させる一方で、シリンダ体におけるボトム端部が上記の車体側チューブに連結されながら上記のキャップ部材を連結させて内側を容室にすると共にこの容室に配設されてこの容室を上記のキャップ部材側容室部分とシリンダ体側容室部分とに画成する圧側減衰手段と、上記のキャップ部材側容室部分に摺動可能に収装されてこのキャップ部材側容室部分を背後側気室とシリンダ側油室とに画成するフリーピストンとを有し、このフリーピストンが上記のシリンダ体内における作動油量を補償すると共に、上記の調圧弁が上記の背後側気室おけるエア圧の高低調整を可能にしてなる請求項５に記載のフロントフォーク。
【発明の詳細な説明】
【技術分野】
【０００１】
この発明は、フロントフォークに関し、特に、二輪車の前輪側に架装されて前輪を懸架しながら前輪に入力される路面振動を吸収する油圧緩衝器たるフロントフォークの改良に関する。
【背景技術】
【０００２】
二輪車の前輪側に架装されて前輪を懸架しながら前輪に入力される路面振動を吸収する油圧緩衝器たるフロントフォークとしては、従来から種々の提案があるが、その中で、たとえば、特許文献１には、フロントフォークが最収縮するときに内蔵するダンパが過大な反力を発生しないようにする提案が開示されている。
【０００３】
すなわち、この特許文献１に開示のフロントフォークは、車体側チューブと車輪側チューブとからなるフォーク本体内に倒立型のダンパを収装し、このダンパは、減衰手段を収装するシリンダ体と、このシリンダ体に出没可能に挿通されてシリンダ体内に収装の減衰手段を保持するロッド体とを有してなる。
【０００４】
そして、このダンパにあっては、シリンダ体がボトム端部を車体側チューブに結合してこの車体側チューブの軸芯部に垂設され、ロッド体が基端部を車輪側チューブに結合してこの車輪側チューブの軸芯部に立設されている。
【０００５】
そして、このダンパにあって、シリンダ体は、車体側チューブに連結されるボトム端部内にシリンダ体内に対向する圧側減衰手段を有すると共に、この圧側減衰手段の下流側に背後から加圧バネおよびエアバネで前進方向に附勢されるフリーピストンを有している。
【０００６】
そしてまた、このダンパにあって、フリーピストンは、作動油の油温が上昇したり、あるいは、ダンパにおける伸縮の繰り返しでダンパ内に言わば余剰となる作動油が流入したりするなどで、シリンダ体内が異常高圧となるときに、後退してこの異常高圧をダンパの外たるリザーバに解放する。
【０００７】
それゆえ、このフロントフォークにあっては、ダンパにおいて、背後から加圧バネおよびエアバネで附勢されたフリーピストンによる加圧作用がシリンダ体のボトム端部内に配在の圧側減衰手段を介してシリンダ体内に波及し、その結果、最伸長状態のダンパが収縮作動するときに、その収縮開始時から圧側減衰手段による所定の減衰作用を可能にする。
【０００８】
そして、このフロントフォークにあっては、ダンパにおいて、フリーピストンを背後から附勢する加圧バネおよびエアバネにおける各バネ力を調整することで、最収縮作動時のダンパにおける過大な反力発生を回避し得る。
【特許文献１】特開２００５‐３０５３４公報（特許請求の範囲，図１参照）
【発明の開示】
【発明が解決しようとする課題】
【０００９】
しかしながら、上記した特許文献１に開示のフロントフォークにあっては、最伸長状態から収縮作動する開始時から所定の減衰作用が可能とされる点で、また、フリーピストンを背後から附勢するバネ力を調整することで、最収縮作動時のダンパにおける過大な反力発生を回避し得る点で、基本的に、問題がある訳ではないが、利用の実際にあって、些かの不具合があると指摘される可能性がある。
【００１０】
すなわち、上記したフロントフォークにあっては、車体側チューブの上端開口を閉塞するキャップ部材がフリーピストンを背後から附勢するエアバネ力、すなわち、フリーピストンの背後に画成されて膨縮する気室におけるエア圧の高低調整を可能にする調圧弁を有してなる。
【００１１】
そして、この調圧弁は、先端部をフリーピストンによって画成されてエアバネ力を具有する気室に臨在させると共に、後端部たる操作部をキャップ部材の上面上方に突出させている。
【００１２】
それゆえ、上記したフロントフォークにあっては、調圧弁の操作で気室に対する外部からのエア圧の封入および気室からのエア圧の解放を実践してエアバネ力を最適にし、最収縮作動時にダンパにおける過大な反力発生を回避し得るが、調圧弁の操作部がキャップ部材の上面上方に突出するから、二輪車の前輪側に架装するとき、ハンドルとの干渉が危惧され、また、飛び石の衝突などによる調圧弁の故障が危惧される。
【００１３】
この発明は、上記した事情を鑑みて創案されたものであって、その目的とするところは、最収縮作動時のダンパにおける過大な反力発生の回避を可能にする調圧弁におけるハンドルとの干渉や飛び石の衝突による故障などを回避し易いようにして、二輪車の前輪側に架装するのに最適となるフロントフォークを提供することである。
【課題を解決するための手段】
【００１４】
上記した目的を達成するために、この発明によるフロントフォークの構成を、基本的には、車体側チューブと車輪側チューブとからなるフォーク本体を有し、車体側チューブにおける上端開口を閉塞するキャップ部材がフォーク本体における内外の連通を許容する通孔を有すると共にこの通孔における拡径部に連結される連結部材を有してなるフロントフォークにおいて、連結部材におけるキャップ部材に対する連結方向がフォーク本体における伸縮方向となる軸線方向に対して傾斜されてなるとする。
【発明の効果】
【００１５】
それゆえ、この発明にあっては、フォーク本体の上端部に配設される連結部材において、キャップ部材に対する連結方向がフォーク本体における伸縮方向となる軸線方向に対して傾斜されてなるから、前記した特許文献１に開示されているように、連結部材におけるキャップ部材に対する連結方向がフォーク本体における伸縮方向と同一方向となる場合に比較して、連結部材の後端部におけるキャップ部材の上面上方への突出量を小さく抑えることが可能になる。
【００１６】
その結果、連結部材の後端部におけるキャップ部材の上面上方への突出量が小さくなるから、二輪車の前輪側に架装されるとき、ハンドルとの干渉をいたずらに危惧させず、また、飛び石の衝突などによる連結部材の故障をいたずらに危惧させない。
【００１７】
また、連結部材がキャップ部材に対して斜めに連結されるから、連結部材がキャップ部材に対して垂直に連結される場合に比較して、連結部材におけるキャップ部材に対する連結長さを大きくし得ることになり、連結部材のキャップ部材に対する連結状態を保障し易くなる。
【発明を実施するための最良の形態】
【００１８】
以下に、図示した実施形態に基づいて、この発明を説明するが、この発明によるフロントフォークは、二輪車の前輪側に架装されて前輪を懸架しながら前輪に入力される路面振動を吸収する油圧緩衝器として機能する。
【００１９】
そのため、このフロントフォークは、図１に示すように、車体側チューブ１と車輪側チューブ（図示せず）とからなるフォーク本体内に倒立型のダンパを有してなり、このダンパがフォーク本体の伸縮に同期して伸縮することで所定の減衰作用を具現化する。
【００２０】
ちなみに、フォーク本体は、図示するところでは、車体側チューブ１が大径のアウターチューブからなり、車輪側チューブが小径のインナーチューブからなる倒立型に設定されているが、この発明の具現化にあっては、これに代えて、図示しないが、車体側チューブ１が小径のインナーチューブからなり、車輪側チューブが大径のアウターチューブからなる正立型に設定されても良い。
【００２１】
そして、このフォーク本体にあっては、図示しないが、車体側チューブ１と車輪側チューブとの間に懸架バネを有し、この懸架バネの附勢力によって車体側チューブ１内から車輪側チューブを抜き出す方向に、すなわち、伸長方向に附勢されている。
【００２２】
また、このフォーク本体にあっては、図２にも示すように、車体側チューブ１における上端開口を閉塞するキャップ部材１１がこのフォーク本体における内外の連通を許容する通孔１１ａを有すると共に、この通孔１１ａにおける拡径部（符示せず）に連結される連結部材たる調圧弁１２を有し、この調圧弁１２におけるキャップ部材１１に対する連結方向がフォーク本体における伸縮方向たる図１中で上下方向となる軸線方向に対して傾斜されてなる。
【００２３】
ちなみに、このフォーク本体にあっては、内側に油面（図示せず）を境にする気室Ａを有し、この気室Ａが上記のキャップ部材１１に開穿の通孔１１ａおよび調圧弁１２を介してフォーク本体外に連通可能とされている。
【００２４】
そして、調圧弁１２は、フォーク本体外に配設の圧気給排源（図示せず）に連通されるとき、この圧気給排源からの圧気のフォーク本体内への供給を可能にすると共に、このフォーク本体内に供給された圧気のフォーク本体外への解放を可能にする。
【００２５】
それゆえ、この調圧弁１２にあっては、基本的には、フォーク本体内の気室Ａにおけるエア圧、すなわち、気室Ａが膨縮することによるエアバネ力たる反力の高低を制御し得ることになり、この気室Ａにおける反力の高低が制御されることで、ダンパ内における油圧を高圧傾向に維持することが可能になり、最伸長状態にあるダンパが収縮作動を開始するとき、その開始当初から所定の圧側減衰作用を可能にする。
【００２６】
そして、このフロントフォークにあっては、調圧弁１２がフォーク本体の上端部を形成するキャップ部材１１に対して斜めに連結されるから、この調圧弁１２が、たとえば、前記した特許文献１に開示されているように、キャップ部材１１に対して垂直に連結されるとき調圧弁１２の後端部たる操作部１２ａ（図２参照）をキャップ部材１１の上面上方に大きく突出させる場合に比較して、調圧弁１２の操作部１２ａにおけるキャップ部材１１の上面上方への突出量を小さく抑えることが可能になる。
【００２７】
そして、このフロントフォークにあっては、調圧弁１２の操作部１２ａにおけるキャップ部材１１の上面上方への突出量が小さくなるから、二輪車の前輪側に架装されるとき、ハンドルとの干渉をいたずらに危惧させず、また、飛び石の衝突などによる調圧弁１２の故障をいたずらに危惧させない。
【００２８】
また、このフロントフォークにあっては、調圧弁１２がキャップ部材１１に対して斜めに連結されるから、調圧弁１２がキャップ部材１１に対して垂直に連結される場合に比較して、調圧弁１２におけるキャップ部材に対する連結長さを大きくでき、調圧弁１２のキャップ部材１１に対する連結状態を保障し易くする。
【００２９】
以上のように、このフロントフォークにあっては、キャップ部材１１に連結される連結部材たる調圧弁１２がいわゆる斜めに連結されることを基本にするが、より具体的には、キャップ部材１１にあって、調圧弁１２におけるキャップ部材１１に対する連結方向たる軸線方向（図２中のａ線参照）が、図３（Ａ）に示すように、キャップ部材１１における軸芯ｐを通過し、あるいは、図３（Ｂ）に示すように、キャップ部材１１における軸芯ｐから偏芯されてなるとする。
【００３０】
調圧弁１２の軸線方向がキャップ部材１１の軸芯ｐを通過する場合には、調圧弁１２の操作部１２ａに対する、たとえば、回動操作を容易にし得ることになり、調圧弁１２の軸線方向がキャップ部材１１における軸芯ｐから偏芯されてなる場合には、キャップ部材１１の軸芯部に、たとえば、アジャスタ類を配設することを可能にする。
【００３１】
また、このフォーク本体にあっては、キャップ部材１１にあって、調圧弁１２における連結方向たる軸線方向と前記した通孔１１ａにおける開穿方向たる軸線方向とが一致（図２参照）し、あるいは、図示しないが、調圧弁１２における連結方向たる軸線方向と前記した通孔１１ａにおける開穿方向たる軸線方向とが同一方向とされてなるとする。
【００３２】
この調圧弁１２における連結方向たる軸線方向と通孔１１ａにおける開穿方向たる軸線方向とが一致し、あるいは、同一方向とされる場合には、キャップ部材１１に通孔１１ａおよび拡径部を開穿する作業に一連性を持たせることが可能になる点で有利になる。
【００３３】
上記したように、この発明では、連結部材たる調圧弁１２がキャップ部材１１に対していわゆる斜めに連結されることで、たとえば、特許文献１に開示されている提案のように連結部材がキャップ部材に垂直に連結される場合に比較して、ハンドルへの干渉や飛び石の衝突などの不具合を招来し難くするが、この特許文献１に開示されているところでも、連結部材に対するハンドルへの干渉や飛び石の衝突などの不具合を招来し難くしていると言い得る。
【００３４】
すなわち、特許文献１に開示されているところでは、キャップ部材に垂直に連結されている連結部材の後端部がキャップ部材の上端から大きく突出しないようにしている。
【００３５】
これは、あらかじめキャップ部材の上端をその外周側の部材の上端より上方に向けて大きく突出させておき、その状態からキャップ部材の内側に凹みを形成し、この凹みに連結部材を位置決め、したがって、連結部材の後端部がキャップ部材の上端より上方に向けて大きく突出しない外観を呈するようにしたからである。
【００３６】
しかし、この発明では、キャップ部材１１の上端を外周側の部材の上端より上方に向けて大きく突出させるような配慮はしておらず、その意味では、いたずらにキャップ部材１１の上端を上方に位置決めていない。
【００３７】
そして、キャップ部材の上端をいたずらに上方に位置決める場合には、たとえば、フロントフォークにおけるフォーク本体の実質寸法を小さくする不具合が招来される。
【００３８】
しかし、この発明では、キャップ部材１１の上端をいたずらに上方に位置決めないので、フロントフォークにおけるフォーク本体の実質寸法を小さくする不具合を招来しない。
【００３９】
そして、フロントフォークにおけるフォーク本体の実質寸法を小さくする不具合を招来しない中で、連結部材たる調圧弁１２がキャップ部材１１に対していわゆる斜めに連結されることで、ハンドルへの干渉や飛び石の衝突などの不具合を招来し難くしている。
【００４０】
一方、この発明のフロントフォークにあっては、フォーク本体内にダンパを有してなるが、このダンパは、図１に示すように、シリンダ体２を車体側チューブ１に結合させると共に、図示しないロッド体を車輪側チューブに結合させる倒立型に設定されている。
【００４１】
そして、このダンパにあっては、シリンダ体２におけるボトム端部２１が車体側チューブ１に連結されながらキャップ部材１１を連結させて内側を容室（符示せず）にすると共にこの容室に配設されてこの容室を図中で上方となるキャップ部材側容室部分（符示せず）と図中で下方となるシリンダ体内側容室部分（符示せず）とに画成する圧側減衰手段３と、上記のキャップ部材側容室部分に摺動可能に収装されてこのキャップ部材側容室部分を図中で上方となる背後側気室Ａ１と図中で下方となるシリンダ側油室Ｒとに画成するフリーピストン４とを有し、このフリーピストン４がシリンダ体２内における作動油量を補償すると共に、上記の調圧弁１２が背後側気室Ａ１おけるエア圧の高低調整を可能にしてなる。
【００４２】
すなわち、上記のシリンダ体２におけるボトム端部２１は、図２にも示すように、その上端部が車体側チューブ１の上端部に螺着されながら内側にキャップ部材１１を螺着させており、下端部にシリンダ体２の言わば本体部をロックナット２２の配在下に連結させている。
【００４３】
そして、このボトム端部２１にあっては、車体側チューブ１に螺着される上端部が内外の連通を許容する通孔２１ａを有し、この通孔２１ａは、前記したキャップ部材１１における通孔１１ａに連通すると共に、前記したリザーバ内の気室Ａに連通している。
【００４４】
それゆえ、この発明にあっては、上記の調圧弁１２がリザーバ内気室Ａとフォーク本体外との連通および遮断を可能にするから、この調圧弁１２によってリザーバ内気室Ａのエア圧を任意に設定でき、フォーク本体内におけるエアバネ力を任意に設定できる。
【００４５】
ところで、ダンパは、図示しないが、シリンダ体２内に摺動可能に収装されてロッド体に保持されるピストン体を有しており、このピストン体は、シリンダ体２内にロッド側室とピストン側室Ｒ１（図１参照）とを画成すると共に、両室の連通を許容する減衰手段を有してなる。
【００４６】
そして、上記のピストン側室Ｒ１が圧側減衰手段３の上流側に連通し、この圧側減衰手段３の上流側が圧側減衰手段３を介して圧側減衰手段３の下流側たるフリーピストン４の上流側に連通し、圧側減衰手段３は、圧側減衰バルブ３１と伸側のバルブ３２とを有してなる。
【００４７】
それゆえ、このダンパにあっては、図１中でシリンダ体２内を図示しないピストン体が上昇する収縮作動時に、ピストン側室Ｒ１で余剰となる侵入ロッド体積分に相当する量の作動油が圧側減衰手段３を介してフリーピストン４の上流側に流出し、その分フリーピストン４がボトム端部２１内を後退する。
【００４８】
そして、上記と逆に、シリンダ体２内を図示しないピストン体が下降する伸長作動時に、ピストン側室Ｒ１で不足となる退出ロッド体積分に相当する量の作動油が圧側減衰手段３を介してフリーピストン４の上流側から補充され、その分フリーピストン４がボトム端部２１内を前進する。
【００４９】
フリーピストン４は、図示するところでは、加圧バネ４１で附勢されると共に前記した背後側気室Ａ１おけるエア圧に基づくエアバネ力によって図中で下降する方向たる前進方向に附勢されている。
【００５０】
そして、このフリーピストン４は、ボトム端部２１内における摺動方向に長く形成されると共に上下に液密性を保障するシール４２，４３を有し、図示する下降時たる前進時に上記のシール４２，４３間に上記のボトム端部２１に開穿の連通孔２１ｂを位置決めさせている。
【００５１】
すなわち、このダンパにあって、シリンダ体２のボトム端部２１内にフリーピストン４で画成される背後側気室Ａ１は、シリンダ体２外に画成のリザーバにおける気室Ａと遮断され、また、上記の加圧バネ４１を収装させている。
【００５２】
ちなみに、ボトム端部２１に開穿の連通孔２１ｂは、ボトム端部２１の内外の連通を許容するもので、上記のフリーピストン４が図中で最上昇する最後時にこのフリーピストン４の上流側に開口し、このフリーピストン４の上流側における油圧のリザーバへの解放を可能にしている。
【００５３】
それゆえ、上記のダンパにあっては、シリンダ体２内がフリーピストン４によって常時加圧されることになり、したがって、ダンパが最伸長状態から収縮作動を開始する当初から圧側減衰手段３による所定の減衰作用が可能になる。
【００５４】
そして、このダンパにあっては、フリーピストン４の背後側に画成される背後側気室Ａ１がリザーバにおける気室Ａと遮断されて独立するから、フリーピストン４に対する所定のエアバネ力を保障し易くなる。
【００５５】
この点について詳述すると、前記した特許文献１に開示のフロントフォークでは、背後側がシリンダ体外に連通しているフリーピストンを加圧バネで附勢しているから、フリーピストンが通常ストロークで摺動するときには、エアバネ力の発揮を殆ど期待できず、専ら加圧バネのバネ力に依存する。
【００５６】
それゆえ、上記の文献に開示の提案では、フリーピストンが大きく後退するフロントフォークの最収縮作動時には、加圧バネのバネ力が極めて大きくなり、したがって、フロントフォークにおける反力が大きくなり、このフロントフォークを架装する二輪車における乗り心地を悪くする不具合がある。
【００５７】
それに対して、この発明では、フリーピストン４の背後側の背後側気室Ａ１がシリンダ体２外の気室Ａに連通しないから、フリーピストン４が通常ストロークで摺動するときに、この背後側気室Ａ１におけるエアバネ力の発揮を期待できる。
【００５８】
それゆえ、このエアバネ力に合成される加圧バネ４１のバネ力を全体に低く設定することが可能になり、したがって、フリーピストン４が大きく後退するフォーク本体の最収縮作動時に、全体のバネ力が適正に維持されて、フロントフォークにおける反力が適正になり、このフロントフォークを架装する二輪車における良好な乗り心地を維持できることになる。
【００５９】
一方、上記のフリーピストン４は、前記したように、シリンダ体２のボトム端部２１内に摺動可能に収装されると共に、加圧バネ４１のバネ力および背後側気室Ａ１のエアバネ力に抗してボトム端部２１内で最後退したときにフリーピストン４の上流側をボトム端部２１に開穿の連通孔２１ｂを介してシリンダ体２外のリザーバにおける気室Ａに連通させる。
【００６０】
それゆえ、ダンパにおいて伸縮作動が繰り返されるなどでシリンダ体２内における作動油の油量が増え、したがって、シリンダ体２の言わば本体部内が高圧化されるときに、この高圧をフリーピストン４の後退でリザーバに解放することが可能になる。
【００６１】
なお、前記した圧側減衰手段３は、図示するところでは、前記したキャップ部材１１の軸芯部に垂設されたセンターロッド５の図中で下端部となる先端部に保持された状態にしてシリンダ体２のボトム端部２１内に臨在されている。
【００６２】
そして、このセンターロッド５の軸部には、上記したフリーピストン４がシール構造（符示せず）の配在下に摺動可能に介装されると共に、このフリーピストン４と上記のキャップ部材１１との間に加圧バネ４１が介装されている。
【００６３】
ちなみに、前記したキャップ部材１１には、上記の調圧弁１２に加えて作動油注入栓が併設されて良く、この作動油注入栓が併設される場合には、フォーク本体に内に注入される作動油量を適正に調整できる。
【００６４】
前記したところでは、フォーク本体がダンパを内蔵してなるとしたが、この発明が意図するところからすれば、フォーク本体がダンパを内蔵しなくてもこの発明の具現化が可能とされるのはもちろんである。
【００６５】
そして、前記したところでは、連結部材が調圧弁１２からなるとしたが、この発明が意図するところからすれば、連結部材が調圧弁１２からなるのに代えて、前記した作動油注入栓であるとしても良く、また、ダンパが有するアクチュエータに外部の電源などを電気的に接続するコネクタなどとされても良く、その場合の作用効果も異ならない。
【図面の簡単な説明】
【００６６】
【図１】この発明の一実施形態によるフロントフォークにおける上半側を一部切り欠いて示す部分断面正面図である。
【図２】図１のフロントフォークにおける上端部を一部切り欠いて示す部分断面正面図である。
【図３】図２のフロントフォークにおける上端面図で、（Ａ）および（Ｂ）は、調圧弁が設けられる位置の違いを示す。
【符号の説明】
【００６７】
１  車体側チューブ
２  シリンダ体
３  圧側減衰手段
４  フリーピストン
５  センターロッド
１１  キャップ部材
１１ａ，２１ａ  通孔
１２  連結部材たる調圧弁
２１  ボトム端部
２１ｂ  連通孔
２２  ロックナット
３１  圧側減衰バルブ
３２  バルブ
４１  加圧バネ
４２，４３  シール
Ａ  気室
Ａ１  背後側気室
ａ  キャップ部材の軸芯
ｐ  連結部材の軸線
Ｒ  シリンダ側油室
Ｒ１  ピストン側室
【図１】
2010127302.tif 000003
【図２】
2010127302.tif 000004
【図３】
2010127302.tif 000005